(57)【要約】  本発明は、基板（２）およびスケール（３）を有するオブジェクトに関し、スケールは、磁化可能粒子および／または磁気粒子を含む印刷媒体を使用して基板（２）へ適用され、印刷媒体を有する領域と、印刷媒体が無い領域（５）とを有し、印刷媒体を有する領域と、印刷媒体が無い領域（５）とによって位置を示すように設計され、基板（２）の磁気特性は、外部磁場がオブジェクト（１）へ印加された場合、または、磁気粒子の磁場が読み取られた場合、基板（２）からよりも、印刷媒体から、より強い磁場が生成されるものである。  【選択図】    図１
2019501387.tif 000002
【特許請求の範囲】
【請求項１】
基板（２）とスケール（３）とを有するオブジェクトであって、前記スケールは、
磁化可能粒子および／または磁気粒子を含む印刷媒体を使用して前記基板（２）へ適用され、
前記印刷媒体を有する領域と、前記印刷媒体が無い領域（５）とを有し、
前記印刷媒体を有する領域および前記印刷媒体が無い領域（５）によって位置を示すように構成されているものであり、
前記基板（２）は、外部磁場が前記オブジェクト（１）へ印加された際、または前記磁気粒子の磁場が読み取られた際に、前記基板（２）よりも前記印刷媒体からより強い磁場が生成される磁気特性を有するものである、
オブジェクト。
【請求項２】
請求項１記載のオブジェクトにおいて、前記基板（２）は、実質的に磁性を有さず、実質的に磁化可能ではない磁気特性を有するものである、オブジェクト。
【請求項３】
請求項１または２記載のオブジェクトにおいて、前記スケール（３）は、複数のスケールマーク（４）、および／または、複数のキャラクタ、特に文字および／または数字（７）を有するものである、オブジェクト。
【請求項４】
請求項３記載のオブジェクトにおいて、前記スケールマーク（４）のうちの少なくとも１つは、前記印刷媒体を使用して前記基板（２）へ適用されたラベル（６）を用いてタグ付けされるものである、オブジェクト。
【請求項５】
請求項３または４記載のオブジェクトにおいて、
前記スケール（３）は、線形的、２次関数的、または対数的に分割されるか、若しくは、前記印刷媒体を使用して前記基板（２）へ適用される複数の識別ストライプ（１２）のパターンから構成されるものであり、
前記スケール（３）の第１の位置（９）と、前記スケール（３）の長手方向において前記第１の位置（９）から離間された第２の位置（１０）との間における前記識別ストライプ（１２）のパターンの各々は、横方向（１１）に対してそれぞれ所定の傾斜角（８）を有するものであり、
前記傾斜角（８）の各々は、他の傾斜角（８）の値とは異なる値を有するものである、
オブジェクト。
【請求項６】
請求項３〜５のうちいずれか１つに記載のオブジェクトにおいて、前記スケールマークは、１μｍ〜１ｍｍ、特に１０μｍ〜１００μｍ、特に１μｍ〜１０μｍの幅を有するものである、オブジェクト。
【請求項７】
請求項１〜６のうちいずれか１つに記載のオブジェクトにおいて、前記印刷媒体は、特に、前記磁化可能粒子および／または磁気粒子を含む顔料を有し、および／または、染料を有するものである、オブジェクト。
【請求項８】
請求項１〜７のうちいずれか１つに記載のオブジェクトにおいて、前記印刷媒体は、前記磁化可能粒子および／または磁気粒子の、３０体積％〜９０体積％、特に、４０体積％〜７０体積％の充填度を有するものである、オブジェクト。
【請求項９】
請求項１〜８のうちいずれか１つに記載のオブジェクトにおいて、前記磁化可能粒子は、顔料、セラミック粒子、および／または、希土類金属を有し、前記磁気粒子は、硬磁気粒子、顔料、微小磁石、セラミック粒子、および／または、希土類金属を有するものである、オブジェクト。
【請求項１０】
請求項１〜９のうちいずれか１つに記載のオブジェクトにおいて、前記磁化可能粒子および／または磁気粒子のサイズ分布の平均は２μｍ未満である、オブジェクト。
【請求項１１】
請求項１〜１０のうちのいずれか１つに記載のオブジェクト（１）を作製する方法であって、
基板（２）を提供する工程と、
磁化可能粒子および／または磁気粒子を含む印刷媒体を使用して、前記基板（２）へスケール（３）を適用することによりオブジェクト（１）を完成する工程と
を含み、
前記スケール（３）は、前記印刷媒体を有する領域と、前記印刷媒体が無い領域（５）とを有し、前記印刷媒体を有する領域および前記印刷媒体が無い領域（５）とによって位置を示すように構成されるものであり、
前記基板（２）は、外部磁場が前記オブジェクト（１）へ印加された際、または、前記磁気粒子の磁場が読み取られた際に、前記基板（２）よりも、前記印刷媒体からより強い磁場が生成される磁気特性を有するものである、
方法。
【請求項１２】
請求項１１記載の方法において、適用中および／または適用後に前記スケール（３）を磁化する工程を含むものである、方法。
【請求項１３】
請求項１１または１２記載の方法において、前記印刷媒体は、印刷によって、特にオフセット印刷、レーザ印刷、および／または、インクジェット印刷によって、前記基板（２）へ適用されるものである、方法。
【請求項１４】
請求項１１〜１３のうちいずれか１つに記載の方法において、
前記印刷媒体の前記基板（２）への適用中および／または適用後に、前記印刷媒体の中心領域が凹形状になるように形成して端部領域を隆起させる工程を含み、それにより、外部磁場が前記オブジェクトへ印加された際、前記印刷媒体から発生する磁場は、前記印刷媒体を有する領域から前記印刷媒体の無い領域（５）への移行時において、前記形成する工程前の勾配よりもより高い勾配を有するものである、方法。
【請求項１５】
請求項１〜１０のうちのいずれか１つに記載のオブジェクト（１）の位置を決定する方法であって、
オブジェクト（１）の測定位置から発生する磁場が存在するか否かを検出する工程であって、前記測定位置は前記スケール（３）の領域内に配置されるものである、前記検出する工程と、
前記測定位置から発生する磁場が検出されたかどうかに基づいて、および／または、前記測定位置から発生する前記磁場の形状に基づいて、前記オブジェクト（１）の位置を予測する工程と
を含む、方法。
【請求項１６】
請求項１５記載の方法において、外部磁場を前記測定位置に印加して前記スケール磁化可能にする工程を含むものである、方法。
【請求項１７】
請求項１５または１６記載の方法において、前記磁場は、誘起効果および／または磁気抵抗効果、特に、異方性磁気抵抗効果、巨大磁気抵抗効果、磁気トンネル抵抗効果、および／または、ホール効果を使用して検出されるものである、方法。
【発明の詳細な説明】
【技術分野】
【０００１】
本発明は、オブジェクト、オブジェクトを生成するための方法、およびオブジェクトの位置を決定するための方法に関する。
【背景技術】
【０００２】
工作機械エンジニアリングでは、たとえば、刃物送り台の位置を決定するために磁気リニアスケールを使用することが知られている。位置は、相対的な測定または絶対的な測定によって決定することができる。相対的な位置決定のために、交互する等幅のＮ極とＳ極の反復ビットパターンが測定される。反復ビットパターンは識別可能ではないので、相対的にのみ位置は識別可能であり、また、通過したビット数をカウントすることによって通常位置を確認することができる。絶対的な位置決定のために、２番目のトラックによって、トラック間の位相比によって、または、識別可能なビットパターンを使用することによってのいずれかで、ビットパターンがインデクス付けされる。第１の場合では、２番目のトラックが、個々のビットをインデクス付けし、個々のビットを識別可能にする。第２の場合では、典型的に、１だけ異なるビットパターンが、２つのトラックにおいて使用される。第３の場合では、たとえば、個々のスケールインクリメントが異なる幅からなり、たとえば、絶対的な開始点から大きさが増加する、識別可能なビットパターンが使用される。しかしながら、強力な磁場の存在下では、恐らく２ビットおきに逆方向に磁化される。その結果、ビットのすべてが同じ極性を有し、もはや位置が決定できなくなる。
【発明の概要】
【発明が解決しようとする課題】
【０００３】
したがって、本発明の目的は、オブジェクト、オブジェクトを生成するための方法、および、強力な磁場の存在化であっても、オブジェクトの位置が誤り無く読み取られる、オブジェクトの位置を決定するための方法を生成することである。  
【課題を解決するための手段】
【０００４】
本発明にかかるオブジェクトは、基板とスケールとを有し、スケールは、磁化可能粒子および／または磁気粒子を含む印刷媒体を使用して基板へ適用され、印刷媒体を有する領域と、印刷媒体が無く、印刷媒体を有する領域同士の間に位置された領域とを有し、印刷媒体を有する領域と、印刷媒体が無い領域とによって位置を示すように構成され、基板は、外部磁場がオブジェクトへ印加された際、または、磁気粒子の磁場が読み取られた際に、基板からよりも印刷媒体からより強い磁場が生成される磁気特性を有する。
【０００５】
オブジェクトを作製するための本発明にかかる方法は、基板の提供をする工程と、磁化可能粒子および／または磁気粒子を含む印刷媒体を使用して、基板へスケールを適用することによりオブジェクトを完成する工程とを有し、スケールは、印刷媒体を有する領域と、印刷媒体が無く、印刷媒体を有する領域同士の間に位置された領域とを有し、印刷媒体を有する領域と、印刷媒体が無い領域とによって位置を示すように構成され、基板は、外部磁場がオブジェクトへ印加された際、または、磁気粒子の磁場が読み取られた際に、基板よりも印刷媒体からより強い磁場が生成される磁気特性を有する。
【０００６】
オブジェクトの位置を決定するための本発明にかかる方法は、オブジェクトの測定位置から発生する磁場が存在するか否かを検出する工程であって、測定位置はスケールの領域内に配置されるものである、前記検出する工程と、測定位置から発生する磁場が検出されたかどうかに基づいて、および／または、測定位置から発生する磁場の形状に基づいてオブジェクトの位置を予測する工程とを有する。
【０００７】
本発明にかかるオブジェクト、オブジェクトを生成するための本発明にかかる方法、および、オブジェクトの位置を決定するための本発明にかかる方法によれば、オブジェクトの位置が、干渉している強い磁場の存在下であっても、誤り無く読み取られることが有利に達成される。それに加えて、印刷媒体を用いて、従来のビットパターンよりも小さな構造が生成される。したがって、本発明にかかるオブジェクトの位置は、従来のビットパターンよりもより高い精度で決定される。それに加えて、従来のビットパターンよりも、より廉価でオブジェクトが生成される。
【０００８】
好適には、基板は、実質的に磁気を有さず、実質的に磁化可能ではない磁気特性を有する。その結果、印刷媒体を有する領域から、印刷媒体の無い領域への移行時に、特に大きな磁場の勾配が達成される。磁場における大きな勾配によって、印刷媒体を有する領域およびそれらの位置は、特に誤りの無い手法で、高精度で決定される。したがって、オブジェクトの位置が、高精度で決定される。
【０００９】
スケールは、好適には、複数のスケールマーク、および／または、複数のキャラクタ、特に文字および／または数字を有する。スケールマークの使用によって、位置を決定するための方法において、スケールマークがカウントされ、オブジェクトの位置を相対的に決定することが可能である。異なる長さおよび／または幅のスケールマークを使用することによって、長さおよび／または幅を識別することにより、絶対的な位置の決定が実行される。オブジェクトの絶対的な位置の決定は、キャラクタを使用することによって実行される。絶対的な位置の決定はまた、スケールマークの複数のトラックを使用することによって実行される。
【００１０】
好適には、スケールマークのうちの少なくとも１つが、印刷媒体を使用して基板へ適用されたラベルを用いてタグ付けされる。したがって、少なくとも、タグ付けされたスケールマークの絶対的な位置を決定することが可能である。
【００１１】
好適には、スケールは、線形的、２次関数的、または対数的に分割されるか、または、スケールは、複数の識別ストライプのパターンから構成される。識別ストライプのパターンは、印刷媒体を使用して基板へ適用され、スケールの第１の位置と、スケールの長手方向において第１の位置から離間された第２の位置との間における識別ストライプのパターンの各々は、横方向に対してそれぞれ所定の傾斜角を有する。また、傾斜角の各々は、他の傾斜角の値とは異なる値を有する。スケールが位置を示すことができるように、スケールは、規則的に分割される。たとえば、バーコードまたはＱＲ（登録商標）コードは、その不規則な構造によって、位置を識別するために使用することはできない。異なる傾斜角は、有利なことに、傾斜角を決定することによって、オブジェクトの絶対的な位置を容易に決定することを可能にする。
【００１２】
スケールマークは好適には、１μｍ〜１ｍｍ、特に１０μｍ〜１００μｍ、特に１μｍ〜１０μｍの幅を有する。オブジェクトの位置は、スケールマークの幅が小さいほど、より高い精度で確立される。この点について、幅が示されたスケールマークは、印刷媒体を使用して容易に生成される。
【００１３】
好適には、印刷媒体は、特に、磁化可能粒子および／または磁気粒子を含む顔料を有し、および／または、印刷媒体は、染料を有する。これは、スケールが、磁気的のみならず、光学的にも読み取られるという事実を有利に達成する。コストの理由で、顔料が磁化可能粒子および／または磁気粒子を含んでいるのであれば、磁化可能粒子を染料および／または顔料へさらに提供する必要はないので、特に有利である。
【００１４】
印刷媒体は、好適には、磁化可能粒子および／または磁気粒子の、３０体積％〜９０体積％、特に、４０体積％〜７０体積％の充填度を有する。さらに、印刷媒体は、実質的に接着剤を含み、それに加えて、溶剤も提供されてもよい。接着剤は、オブジェクトへの印刷媒体の接着を保証する。溶剤は、染料を溶かすために提供されてもよい。磁化可能粒子および／または磁気粒子の、３０体積％〜、９０体積％のパーセンテージは、パターンの高い磁性化を、同時の強い粘着力とともに、有利に達成する。約５０体積％の充填度は、この観点において、特に好適である。
【００１５】
好適には、磁化可能粒子は、顔料、セラミック粒子、および／または、希土類金属を有し、磁気粒子は、硬磁気粒子、顔料、微小磁石、セラミック粒子、および／または、希土類金属を有する。硬磁気粒子は、強い磁場強度を有しているので有利である。顔料は、磁石と着色剤との両方として機能するので、有利である。セラミック金属は、その耐化学性により有利である。希土類金属は、高い磁場強度を有する。
【００１６】
磁化可能粒子および／または磁気粒子のサイズ分布の平均は、好適には、２μｍ未満である。磁化可能粒子が、たとえば球状であれば、そのサイズは、粒子直径を示す。磁化可能粒子の形が、球状以外であれば、そのサイズは、磁化可能粒子において生じる最大寸法である。小さな粒子サイズにより、磁化可能粒子および／または磁気粒子は、特に、既に磁化された状態にある硬磁気粒子である場合、外部磁場におけるオブジェクトの位置を決定するための方法に従うことは容易であるので、印刷媒体を有する領域の、特に強い磁化の達成を可能にする。
【００１７】
好適には、印刷媒体は印刷媒体の中心領域が凹形状になるように形成され、その端部領域が隆起される。したがって、外部磁場がオブジェクトへ印加された際、印刷媒体から発生する磁場は、印刷媒体を有する領域から印刷媒体の無い領域への移行時において高い勾配を有する。高い勾配は、特に正確な手法で位置が決定されることを可能にする。
【００１８】
好適には、印刷媒体は、印刷によって基板へ適用される。このための考えられるオプションは、オフセット印刷、レーザ印刷、および／または、インクジェット印刷を含む。
【００１９】
好適には、オブジェクトを生成するための方法は、その適用中および／または適用後にスケールを磁化する工程を含む。この点について、スケールの磁化は、好適には、印刷媒体の接着剤の硬化前に生じる。これは、印刷媒体において既に磁化状態にある硬磁気粒子のために特に適切である。磁化によって粒子へ与えられる方位は、接着剤の硬化によって適所に固められる。
【００２０】
スケールの適用前に、磁化可能粒子および／または磁気粒子の集塊を阻止するために、印刷媒体が攪拌され得、および／または、ふるいが印刷媒体のフローに提供される。ふるいのメッシュ穴は、個々の磁化可能粒子および／または磁気粒子が、ふるいを貫通するが、粒子の集塊が、ふるいによって保持されるような寸法とされる。
【００２１】
好適には、オブジェクトを生成するための方法は、印刷媒体の基板への適用中および／または適用後に、印刷媒体の中心領域が凹形状になるように形成して端部領域を隆起させる工程を含み、それにより、外部磁場がオブジェクトへ印加された際、印刷媒体から発生する磁場は、前記印刷媒体を有する領域から前記印刷媒体の無い領域への移行時において、前記形成する工程前の勾配よりもより高い勾配を有する。
【００２２】
好適には、オブジェクトの位置を決定するための方法は、スケールが磁化可能になるように、外部磁場を測定位置へ加える工程を含む。
【００２３】
好適には、測定位置から発生する磁場は、誘起効果および／または磁気抵抗効果、特に、異方性磁気抵抗効果、巨大磁気抵抗効果、磁気トンネル抵抗効果、および／または、ホール効果を使用して検出される。この場合、巨大磁気抵抗効果および磁気トンネル抵抗効果を使用することによって、印刷媒体を有する特に小さな領域を読み取ることが可能である。この結果、特に高い位置決め精度となる。
【００２４】
本発明にかかるオブジェクトの３つの好適な実施形態が、添付された概念図に基づいて、以下に、より詳細に説明されるであろう。
【図面の簡単な説明】
【００２５】
【図１】図１は、等しい長さのスケールマークを備えたスケールを有する、第１のオブジェクトの実施形態を図示する。
【図２】図２は、数字を備えたスケールを有する、第２のオブジェクトの実施形態を図示する。
【図３】図３は、異なる長さのスケールマークを備えたスケールを有する、第３のオブジェクトの実施形態を図示する。
【図４】図４は、異なる傾斜角を有する識別ストライプを備えたスケールを有する、第４のオブジェクトの実施形態を図示する。
【発明を実施するための形態】
【００２６】
図１〜図４から明らかなように、オブジェクト１は、基板２およびスケール３を有する。スケール３は、磁化可能粒子および／または磁気粒子を有する印刷媒体を使用して、基板２へ適用される。スケール３は、印刷媒体を有する領域と、印刷媒体の無い領域５とを有し、印刷媒体を有する領域と、印刷媒体の無い領域５とによって、複数の位置を示すように設計される。基板２の磁気特性は、外部磁場がオブジェクト１へ印加された場合、または、印刷媒体から磁気粒子の磁場が読み取られた場合、基板２の磁場よりも、より強い磁場が生成されるものである。これを達成するために、基板２の磁気特性は、基板２が実質的に磁性を有さず、実質的に磁化可能ではない。たとえば、基板２は、アルミニウムから構成される。
【００２７】
印刷媒体は、特に磁化可能粒子および／または磁気粒子を含む顔料、および／または、染料を有してもよい。さらに、印刷媒体は、磁化可能粒子および／または磁気粒子の、３０体積％〜９０体積％の、特に４０体積％〜７０体積％の充填度を有してもよい。磁化可能粒子は、顔料、セラミック粒子、および／または、希土類金属を有し得、磁気粒子は、硬磁気粒子、顔料、微小磁石、セラミック粒子、および／または、希土類金属を有してもよい。磁化可能粒子および／または磁気粒子のサイズ分布の平均は、２μｍ未満であってもよい。磁化可能粒子が、たとえば球状であれば、そのサイズは、粒子直径を示す。磁化可能粒子の形が、球状以外であれば、そのサイズは、磁化可能粒子において生じる最大寸法である。
【００２８】
図１〜図３における３つの実施形態のスケールは、線形的に分割されたスケールである。２次関数的に分割された、または、対数的に分割されたスケールもまた考えられる。ノギスシステム、および、可変傾斜角を有するシステムもまた考えられる。対照的に、バーコードまたはＱＲ（登録商標）コードを使用して位置を識別することは、バーコードまたはＱＲ（登録商標）コードの不規則な構造により、可能ではない。図１にかかる第１の実施形態のスケール３は、複数のスケールマーク４を有する。これらは、印刷媒体を使用して基板２へ適用され、印刷媒体を有する領域を構成する。この実施形態では、スケールマーク４のすべてが、同じ長さｌ１および同じ幅ｄ１を有する。２つの隣接するスケールマーク４同士の間の印刷媒体の無い領域５の幅は、ｄ２であり、隣接するスケールマーク４の各ペアについても同様に同じである。したがって、第１の実施形態にかかるスケール３は、線形的に分割される。このスケールのインクリメントｚは、ｚ＝ｄ１＋ｄ２である。
【００２９】
図２にかかる第２の実施形態のスケール３は、複数の数字７を有する。これらは、印刷媒体を使用して基板２へ適用され、印刷媒体を有する領域を構成する。数字７は、昇順で配置される。２つの隣接する数字７の間には、印刷媒体の無いそれぞれの領域５がある。このスケールのインクリメントｚは、隣接する数字の各ペアについて同じである。したがって、第２の実施形態にかかるスケール３は、線形的に分割される。インクリメントｚは、たとえば、２つの隣接する数字の重心間の距離である。
【００３０】
図３にかかる第３の実施形態のスケール３は、複数のスケールマーク４を有する。これらは、印刷媒体を使用して基板２へ適用され、印刷媒体を有する領域を構成する。この実施形態では、スケールマーク４のすべてが、同じ幅ｄ１を有する。２つの隣接するスケールマーク４同士の間の印刷媒体の無い領域５の幅は、ｄ２であり、隣接するスケールマーク４の各ペアについても同様に等しい。したがって、第３の実施形態にかかるスケール３は、線形的に分割される。このスケールのインクリメントｚは、ｚ＝ｄ１＋ｄ２である。第３の実施形態にかかるスケール３は、長さｌ１を有するスケールマークと、長さｌ２を有するスケールマークと、長さｌ３を有するスケールマークとを有し、ｌ３>ｌ２>ｌ１である。スケール３は、各１０番目のスケールマーク４が、長さｌ３を有するように形成される。長手方向において、スケール３は、長さｌ３の１つのスケールマーク４と、長さｌ１の４つのスケールマーク４と、長さｌ２の１つのスケールマーク４と、長さｌ１の４つのスケールマーク４とをそれぞれ有する。
【００３１】
第４の実施形態のスケール３は、パターンからなり、パターンは、印刷媒体を使用して基板２へ適用された識別ストライプ１２から構成され、スケール３の第１の位置９と、スケール３の長手方向１１において第１の位置９から離間された第２の位置１０との間で、識別ストライプ１２から識別ストライプ１２へと、傾斜角８のおのおのが、他の傾斜角８の値とは異なる値を有するような、あらかじめ定められた手法で、横方向１１に対するそれぞれの傾斜角８で、おのおの傾斜される。長手方向と横方向１１は、同様である。
【００３２】
２次関数的に分割されたスケール、または、対数的に分割されたスケールが使用されるのであれば、スケールの長手方向においてインクリメントが変化する。
【００３３】
４つの実施形態にかかるオブジェクト１は、基板２を提供する工程と、磁化可能粒子および／または磁気粒子を含む印刷媒体を使用して、基板２へスケール３を適用することによりオブジェクト１を完成する工程によって作製される。この場合、印刷媒体は、印刷によって、特に、オフセット印刷、レーザ印刷、および／または、インクジェット印刷によって、基板２へ適用される。
【００３４】
前記方法は、印刷媒体の基板２への適用中および／または適用後に、印刷媒体の中心領域が凹形状になるように形成して端部領域を隆起させる工程を含み、それにより、外部磁場がオブジェクトへ印加された際、印刷媒体から発生する磁場は、印刷媒体を有する領域から前記印刷媒体の無い領域５への移行時において、前記形成する工程前の勾配よりもより高い勾配を有することが考えられる。
【００３５】
４つの実施形態にかかるオブジェクト１の位置は、以下のように読み取られる。すなわち、オブジェクト１の測定位置へ外部磁場を加え、測定位置は、スケール３が磁化可能になるように、スケール３の領域内に配置され、測定位置から発生する磁場が存在するか否かを検出し、測定位置から発生する磁場が検出されたかどうかに基づいて、および／または、測定位置から生じる磁場の形状に基づいて、オブジェクト１の位置を予測する。この場合、誘起効果および／または磁気抵抗効果、特に、異方性磁気抵抗効果、巨大磁気抵抗効果、磁気トンネル抵抗効果、および／または、ホール効果を使用して磁場を検出することが可能である。
【符号の説明】
【００３６】
１...オブジェクト
２...基板
３...スケール
４...スケールマーク
５...印刷媒体の無い領域
６...ラベル
７...数字
８...傾斜角
９...第１の位置
１０...第２の位置
１１...横方向
１２...識別ストライプ
ｄ１...スケールマークの幅
ｄ２...印刷媒体の無い領域の幅
ｚ...インクリメント
ｌ１...スケールマークの長さ
ｌ２...スケールマークの長さ
ｌ３...スケールマークの長さ
【図１】
2019501387.tif 000003
【図２】
2019501387.tif 000004
【図３】
2019501387.tif 000005
【図４】
2019501387.tif 000006
【国際調査報告】
2019501387.tif 000007
2019501387.tif 000008
2019501387.tif 000009
2019501387.tif 000010
2019501387.tif 000011
2019501387.tif 000012